(57)【要約】【課題】ウェブの張力調整装置および方法並びに印刷機において、ウェブの張力を適正に調整可能とすると共に、ウェブの張力調整作業の作業性の向上を図る。【解決手段】ウェブＷの搬送方向に所定間隔を空けて配置されてウェブＷを搬送可能なインフィードドラグローラ（上流側駆動ローラ）１０９および出口ドラグローラ（下流側駆動ローラ）１１８と、インフィードドラグローラ１０９と出口ドラグローラ１１８との間に配置されるブランケット胴３１ａ，３１ｂ，３２ａ，３２ｂ，３３ａ，３３ｂ，３４ａ，３４ｂと、上流側区間におけるウェブＷの張力を検出するテンションピックアップローラ（上流側張力検出器）１１１と、下流側区間におけるウェブＷの張力を検出するテンションピックアップローラ（下流側張力検出器）１１７と、テンションピックアップローラ１１１とテンションピックアップローラ１１７の検出結果に基づいてインフィードドラグローラ１０９の回転速度を制御してウェブＷの張力を調整可能な制御装置１４０とを備える。【選択図】図１
2020125210.tif 000002
【特許請求の範囲】
【請求項１】
ウェブの搬送方向に所定間隔を空けて配置されて前記ウェブを搬送可能な上流側駆動ローラおよび下流側駆動ローラと、
前記上流側駆動ローラと前記下流側駆動ローラとの間に配置されて前記ウェブを搬送可能な中間駆動ローラと、
前記中間駆動ローラより前記ウェブの搬送方向の上流側の上流側区間における前記ウェブの張力を検出する上流側張力検出器と、
前記中間駆動ローラより前記ウェブの搬送方向の下流側の下流側区間における前記ウェブの張力を検出する下流側張力検出器と、
前記上流側張力検出器と前記下流側張力検出器の検出結果に基づいて前記上流側駆動ローラの回転速度を制御して前記ウェブの張力を調整可能な制御装置と、
を備えることを特徴とするウェブの張力調整装置。
【請求項２】
前記制御装置は、前記下流側区間における前記ウェブの張力を予め設定された下流側適正張力に調整した後、前記上流側区間における前記ウェブの張力を予め設定された上流側適正張力に調整することを特徴とする請求項１に記載のウェブの張力調整装置。
【請求項３】
前記制御装置は、前記下流側駆動ローラの回転速度より前記上流側駆動ローラの回転速度を低速とし、前記下流側区間における前記ウェブの張力が前記下流側適正張力に到達すると、前記下流側適正張力が維持されるように前記上流側駆動ローラの回転速度を制御することを特徴とする請求項２に記載のウェブの張力調整装置。
【請求項４】
前記制御装置は、前記下流側区間における前記ウェブの張力が前記下流側適正張力より低い予め設定された下流側適正低張力に到達すると、前記上流側駆動ローラの回転速度を変更して適正張力に調整することを特徴とする請求項２または請求項３に記載のウェブの張力調整装置。
【請求項５】
前記上流側駆動ローラと前記下流側駆動ローラの少なくともどちらか一方に対接することで前記ウェブを挟持する押えローラが設けられ、前記制御装置は、前記下流側区間における前記ウェブの張力が前記下流側適正低張力に到達すると、前記押えローラを脱位置から着位置に移動することを特徴とする請求項４に記載のウェブの張力調整装置。
【請求項６】
前記上流側駆動ローラと前記下流側駆動ローラの少なくともどちらか一方に対接することで前記ウェブを挟持する押えローラが設けられ、前記制御装置は、前記下流側区間における前記ウェブの張力を前記下流側適正張力に調整した後、離間位置にある前記中間駆動ローラを対接位置に移動し、その後、前記押えローラを脱位置から着位置に移動することを特徴とする請求項２から請求項４のいずれか一項に記載のウェブの張力調整装置。
【請求項７】
前記制御装置は、前記上流側区間における前記ウェブの張力を予め設定された下流側張力調整用上流側張力に調整した後、前記下流側区間における前記ウェブの張力が予め設定された下流側適正張力に到達すると、前記上流側区間における前記ウェブの張力を予め設定された上流側適正張力に調整することを特徴とする請求項１に記載のウェブの張力調整装置。
【請求項８】
前記制御装置は、前記下流側駆動ローラの回転速度より前記上流側駆動ローラの回転速度を低速とし、前記下流側区間における前記ウェブの張力が前記下流側適正張力に到達すると、現在の前記ウェブの張力が維持されるように前記上流側駆動ローラの回転速度を制御することを特徴とする請求項７に記載のウェブの張力調整装置。
【請求項９】
前記制御装置は、前記下流側区間における前記ウェブの張力を前記下流側適正張力に調整した後、離間位置にある前記中間駆動ローラを対接位置に移動し、その後、前記上流側区間における前記ウェブの張力を前記上流側適正張力に調整することを特徴とする請求項２から請求項８のいずれか一項に記載のウェブの張力調整装置。
【請求項１０】
前記制御装置は、前記上流側駆動ローラの駆動回転を停止した状態で、前記下流側駆動ローラの駆動回転を開始し、前記下流側区間における前記ウェブの張力が上昇すると、前記上流側駆動ローラの駆動回転を開始することを特徴とする請求項１から請求項９のいずれか一項に記載のウェブの張力調整装置。
【請求項１１】
前記中間駆動ローラは、印刷装置における一対のブランケット胴であり、前記一対のブランケット胴との間に隙間が確保される離間位置と、前記一対のブランケット胴との間に隙間がない対接位置とに移動可能であり、前記一対のブランケット胴が前記離間位置にあるとき、前記一対のブランケット胴の少なくとも一方が前記ウェブに接触することを特徴とする請求項１から請求項１０のいずれか一項に記載のウェブの張力調整装置。
【請求項１２】
前記上流側駆動ローラと前記下流側駆動ローラとの間に前記ウェブの経路長を変更可能な経路長変更装置が設けられ、前記制御装置は、前記上流側張力検出器または前記下流側張力検出器の検出結果に基づいて前記経路長変更装置を制御して前記ウェブの張力を調整することを特徴とする請求項１から請求項１１のいずれか一項に記載のウェブの張力調整装置。
【請求項１３】
前記上流側駆動ローラと前記下流側駆動ローラとの間のウェブ張力調整区間が前記ウェブの搬送方向に沿って複数設けられ、前記制御装置は、複数の前記ウェブ張力調整区間のうちの前記ウェブの搬送方向における下流側の前記ウェブ張力調整区間から前記ウェブの張力を調整することを特徴とする請求項１から請求項１２のいずれか一項に記載のウェブの張力調整装置。
【請求項１４】
前記上流側駆動ローラと前記下流側駆動ローラとの間のウェブ張力調整区間が前記ウェブの搬送方向に沿って複数設けられ、前記制御装置は、複数の前記ウェブ張力調整区間のうちの前記ウェブの搬送方向における上流側の前記ウェブ張力調整区間から前記ウェブの張力を調整することを特徴とする請求項１から請求項１２のいずれか一項に記載のウェブの張力調整装置。
【請求項１５】
ウェブの搬送方向に所定間隔を空けて配置されて前記ウェブを搬送可能な上流側駆動ローラおよび下流側駆動ローラと、
前記上流側駆動ローラと前記下流側駆動ローラとの間に配置されて前記ウェブを搬送可能な中間駆動ローラと、
を備え、
前記中間駆動ローラより前記ウェブの搬送方向の上流側の上流側区間における前記ウェブの張力を検出する工程と、
前記中間駆動ローラより前記ウェブの搬送方向の下流側の下流側区間における前記ウェブの張力を検出する工程と、
前記上流側区間における前記ウェブの張力と前記下流側区間における前記ウェブの張力に基づいて前記上流側駆動ローラの回転速度を制御して前記ウェブの張力を調整する工程と、
を有することを特徴とするウェブの張力調整方法。
【請求項１６】
ウェブを供給する給紙装置と、
前記給紙装置から供給された前記ウェブに対して印刷を施す印刷装置と、
前記印刷装置により印刷が施された前記ウェブを縦折りした後に断裁して所定の折帖を形成する折り装置と、
請求項１から請求項１４のいずれか一項に記載のウェブの張力調整装置と、
を備えることを特徴とする印刷機。
【請求項１７】
前記給紙装置は、複数の給紙ユニットを有し、前記印刷装置は、複数の印刷装置を有し、前記折り装置は、前記印刷装置により印刷が施された複数の前記ウェブを縦折りした後に断裁して所定の折帖を形成するものであり、前記制御装置は、複数の前記ウェブの搬送経路で全ての前記下流側区間における前記ウェブの張力が予め設定された下流側適正張力に調整されると、離間位置にある前記中間駆動ローラを対接位置に移動することを特徴とする請求項１６に記載の印刷機。
【発明の詳細な説明】
【技術分野】
【０００１】
本発明は、複数の駆動ローラにより搬送されるウェブの張力を調整するウェブの張力調整装置および方法、並びに、ウェブの張力調整装置が適用された印刷機に関するものである。
【背景技術】
【０００２】
例えば、新聞用オフセット輪転印刷機は、給紙装置と印刷装置とウェブパス装置と折機とから構成される。新聞用オフセット輪転印刷機は、印刷開始前、まず、給紙装置に支持された巻取紙から繰り出されたウェブの先端部を印刷装置およびウェブパス装置を通して折機まで導く紙通し作業が実施される。紙通し作業が完了すると、次に、給紙装置から折機まで通されたウェブの張力を適正値に設定する張力調整作業が実施される。
【０００３】
ウェブの張力を調整する技術として、例えば、下記特許文献に記載されたものがある。特許文献１に記載された印刷機は、ウェブ経路上に設けられたローラのうち、ウェブの張力に対して影響を与えるローラをウェブに対して着状態とし、印刷シリンダを脱状態とし、ウェブの張力を上昇させる張力付与運転を行うものである。また、特許文献２に記載された輪転印刷機の運転開始時の制御方法は、上流側ドラグの周速度を下流側ドラグの周速度よりも遅くし、上流側ドラグと下流側ドラグとの間のウェブの張力が適正値になると、上流側ドラグを緩動運転速度に復帰させるものである。
【先行技術文献】
【特許文献】
【０００４】
【特許文献１】特開２００８−１０５２７７号公報
【特許文献２】特許第３５６４４０９号公報
【発明の概要】
【発明が解決しようとする課題】
【０００５】
上述した従来の印刷機では、ウェブに対して印刷シリンダを離脱させた状態で、ウェブの張力を上昇させている。このとき、下流側ドラグに対して上流側ドラグを低速としてウェブの張力を増加させ、ウェブの張力が適正値になると、上流側ドラグを緩動運転速度に復帰させている。ところで、印刷機では、ウェブに対して印刷シリンダを離脱させた状態としても、一部の印刷シリンダがウェブに接触している。そのため、上流側ドラグと下流側ドラグとの間でウェブの張力を調整しても、印刷シリンダの下流側におけるウェブの張力が適正値より低くなってしまうことがある。そして、この状態で、ウェブに対して印刷シリンダを着状態としたとき、適正な張力でないウェブに無理な応力が作用して破断してしまうという課題がある。
【０００６】
本発明は、上述した課題を解決するものであり、ウェブの張力を適正に調整可能とすると共にウェブの張力調整作業の作業性の向上を図るウェブの張力調整装置および方法並びに印刷機を提供することを目的とする。
【課題を解決するための手段】
【０００７】
上述の目的を達成するための本発明のウェブの張力調整装置は、ウェブの搬送方向に所定間隔を空けて配置されて前記ウェブを搬送可能な上流側駆動ローラおよび下流側駆動ローラと、前記上流側駆動ローラと前記下流側駆動ローラとの間に配置されて前記ウェブを搬送可能な中間駆動ローラと、前記中間駆動ローラより前記ウェブの搬送方向の上流側の上流側区間における前記ウェブの張力を検出する上流側張力検出器と、前記中間駆動ローラより前記ウェブの搬送方向の下流側の下流側区間における前記ウェブの張力を検出する下流側張力検出器と、前記上流側張力検出器と前記下流側張力検出器の検出結果に基づいて前記上流側駆動ローラの回転速度を制御して前記ウェブの張力を調整可能な制御装置と、を備えることを特徴とするものである。
【０００８】
従って、中間駆動ローラに対して上流側区間におけるウェブの張力と下流側区間におけるウェブの張力に基づいて上流側駆動ローラの回転速度を制御してウェブの張力を調整することから、上流側区間と下流側区間との間に中間駆動ローラがあっても、上流側区間におけるウェブの張力と下流側区間におけるウェブの張力を適正張力調整することができる。その結果、ウェブの張力を適正に調整可能とすると共に、ウェブの張力調整作業の作業性の向上を図ることができる。
【０００９】
本発明のウェブの張力調整装置では、前記制御装置は、前記下流側区間における前記ウェブの張力を予め設定された下流側適正張力に調整した後、前記上流側区間における前記ウェブの張力を予め設定された上流側適正張力に調整することを特徴としている。
【００１０】
従って、下流側区間におけるウェブの張力を下流側適正張力に調整した後、上流側区間におけるウェブの張力を上流側適正張力に調整することから、上流側適正張力を調整するとき、既に下流側適正張力に調整されたウェブの張力を変動させることがなく、効率良くウェブの張力を調整することができる。
【００１１】
本発明のウェブの張力調整装置では、前記制御装置は、前記下流側駆動ローラの回転速度より前記上流側駆動ローラの回転速度を低速とし、前記下流側区間における前記ウェブの張力が前記下流側適正張力に到達すると、前記下流側適正張力が維持されるように前記上流側駆動ローラの回転速度を制御することを特徴としている。
【００１２】
従って、下流側駆動ローラの回転速度より上流側駆動ローラの回転速度を低速とすることから、ウェブの張力を容易に増加させることができ、下流側区間におけるウェブの張力が下流側適正張力に調整されると、下流側適正張力が維持されるように上流側駆動ローラの回転速度を制御することから、効率良くウェブの張力を調整することができる。
【００１３】
本発明のウェブの張力調整装置では、前記制御装置は、前記下流側区間における前記ウェブの張力が前記下流側適正張力より低い予め設定された下流側適正低張力に到達すると、前記上流側駆動ローラの回転速度を変更して適正張力に調整することを特徴としている。
【００１４】
従って、下流側区間におけるウェブの張力が下流側適正低張力に到達すると、上流側駆動ローラの回転速度を変更して適正張力に調整することから、ウェブの張力が段階的に増加されることとなり、張力の急激な増加によるウェブの破断を抑制することができる。
【００１５】
本発明のウェブの張力調整装置では、前記上流側駆動ローラと前記下流側駆動ローラの少なくともどちらか一方に対接することで前記ウェブを挟持する押えローラが設けられ、前記制御装置は、前記下流側区間における前記ウェブの張力が前記下流側適正低張力に到達すると、前記押えローラを脱位置から着位置に移動することを特徴としている。
【００１６】
従って、下流側区間におけるウェブの張力が下流側適正低張力に到達すると、押えローラを脱位置から着位置に移動することから、ウェブが上流側駆動ローラおよび下流側駆動ローラと各押えローラにより挟持された状態で、ウェブの張力が増加することとなり、ウェブを安定して支持することでウェブの破断を抑制することができる。
【００１７】
本発明のウェブの張力調整装置では、前記上流側駆動ローラと前記下流側駆動ローラの少なくともどちらか一方に対接することで前記ウェブを挟持する押えローラが設けられ、前記制御装置は、前記下流側区間における前記ウェブの張力を前記下流側適正張力に調整した後、離間位置にある前記中間駆動ローラを対接位置に移動し、その後、前記押えローラを脱位置から着位置に移動することを特徴としている。
【００１８】
従って、下流側区間におけるウェブの張力を下流側適正張力に調整した後、離間位置にある中間駆動ローラを対接位置に移動し、その後、押えローラを脱位置から着位置に移動することから、ウェブが上流側駆動ローラおよび下流側駆動ローラと各押えローラにより挟持されるとき、ウェブの張力が既に下流側適正張力に調整されており、ウェブに対する瞬間的な張力の増加が抑制され、ウェブの破断を抑制することができる。
【００１９】
本発明のウェブの張力調整装置では、前記制御装置は、前記上流側区間における前記ウェブの張力を予め設定された下流側張力調整用上流側張力に調整した後、前記下流側区間における前記ウェブの張力が予め設定された下流側適正張力に到達すると、前記上流側区間における前記ウェブの張力を予め設定された上流側適正張力に調整することを特徴としている。
【００２０】
従って、上流側区間におけるウェブの張力を下流側張力調整用上流側張力に調整した後、下流側区間におけるウェブの張力が予め設定された下流側適正張力に到達すると、上流側区間におけるウェブの張力を上流側適正張力に調整することから、早期にウェブの張力を増加させてウェブの張力を上流側適正張力に調整することができる。
【００２１】
本発明のウェブの張力調整装置では、前記制御装置は、前記下流側駆動ローラの回転速度より前記上流側駆動ローラの回転速度を低速とし、前記下流側区間における前記ウェブの張力が前記下流側適正張力に到達すると、現在の前記ウェブの張力が維持されるように前記上流側駆動ローラの回転速度を制御することを特徴としている。
【００２２】
従って、下流側駆動ローラの回転速度より上流側駆動ローラの回転速度を低速とし、下流側区間におけるウェブの張力が前記下流側適正張力に到達すると、現在のウェブの張力が維持されるように上流側駆動ローラの回転速度を制御することから、効率良くウェブの張力を調整することができる。
【００２３】
本発明のウェブの張力調整装置では、前記制御装置は、前記下流側区間における前記ウェブの張力を前記下流側適正張力に調整した後、離間位置にある前記中間駆動ローラを対接位置に移動し、その後、前記上流側区間における前記ウェブの張力を前記上流側適正張力に調整することを特徴としている。
【００２４】
従って、下流側区間におけるウェブの張力を下流側適正張力に調整した後、離間位置にある中間駆動ローラを対接位置に移動し、その後、上流側区間におけるウェブの張力を上流側適正張力に調整することから、ウェブの張力が下流側適正張力に調整された状態で、中間駆動ローラを対接位置に移動することとなり、ウェブの破断を抑制することができる。
【００２５】
本発明のウェブの張力調整装置では、前記制御装置は、前記上流側駆動ローラの駆動回転を停止した状態で、前記下流側駆動ローラの駆動回転を開始し、前記下流側区間における前記ウェブの張力が上昇すると、前記上流側駆動ローラの駆動回転を開始することを特徴としている。
【００２６】
従って、上流側駆動ローラの駆動回転を停止した状態で、下流側駆動ローラの駆動回転を開始し、下流側区間におけるウェブの張力が上昇すると、上流側駆動ローラの駆動回転を開始することから、ウェブの弛みを早期に解消することができる。
【００２７】
本発明のウェブの張力調整装置では、前記中間駆動ローラは、印刷装置における一対のブランケット胴であり、前記一対のブランケット胴との間に隙間が確保される離間位置と、前記一対のブランケット胴との間に隙間がない対接位置とに移動可能であり、前記一対のブランケット胴が前記離間位置にあるとき、前記一対のブランケット胴の少なくとも一方が前記ウェブに接触することを特徴としている。
【００２８】
従って、ブランケット胴の少なくとも一方がウェブに接触していても、上流側区間におけるウェブの張力と下流側区間におけるウェブの張力を適正張力調整することができる。その結果、ウェブの張力調整作業の作業性の向上を図ることができる。
【００２９】
本発明のウェブの張力調整装置では、前記上流側駆動ローラと前記下流側駆動ローラとの間に前記ウェブの経路長を変更可能な経路長変更装置が設けられ、前記制御装置は、前記上流側張力検出器または前記下流側張力検出器の検出結果に基づいて前記経路長変更装置を制御して前記ウェブの張力を調整することを特徴としている。
【００３０】
従って、上流側張力検出器または下流側張力検出器の検出結果に基づいて経路長変更装置を制御してウェブの張力を調整することから、上流側駆動ローラや下流側駆動ローラの回転速度を制御する方法と組み合わせにより、ウェブの張力を早期に調整することができる。
【００３１】
本発明のウェブの張力調整装置では、前記上流側駆動ローラと前記下流側駆動ローラとの間のウェブ張力調整区間が前記ウェブの搬送方向に沿って複数設けられ、前記制御装置は、複数の前記ウェブ張力調整区間のうちの前記ウェブの搬送方向における下流側の前記ウェブ張力調整区間から前記ウェブの張力を調整することを特徴としている。
【００３２】
従って、複数のウェブ張力調整区間のうちのウェブの搬送方向における下流側のウェブ張力調整区間からウェブの張力を調整することから、上流側の張力調整区間におけるウェブの張力を調整するとき、既に調整された下流側の張力調整区間におけるウェブの張力を変動させることがなく、効率良くウェブの張力を調整することができる。
【００３３】
本発明のウェブの張力調整装置では、前記上流側駆動ローラと前記下流側駆動ローラとの間のウェブ張力調整区間が前記ウェブの搬送方向に沿って複数設けられ、前記制御装置は、複数の前記ウェブ張力調整区間のうちの前記ウェブの搬送方向における上流側の前記ウェブ張力調整区間から前記ウェブの張力を調整することを特徴としている。
【００３４】
従って、複数のウェブ張力調整区間のうちのウェブの搬送方向における上流側のウェブ張力調整区間からウェブの張力を調整することから、下流側の張力調整区間におけるウェブの張力を調整するとき、既に調整された上流側の張力調整区間におけるウェブの張力を変動させることがなく、効率良くウェブの張力を調整することができる。
【００３５】
また、本発明のウェブの張力調整方法は、ウェブの搬送方向に所定間隔を空けて配置されて前記ウェブを搬送可能な上流側駆動ローラおよび下流側駆動ローラと、前記上流側駆動ローラと前記下流側駆動ローラとの間に配置されて前記ウェブを搬送可能な中間駆動ローラと、を備え、前記中間駆動ローラより前記ウェブの搬送方向の上流側の上流側区間における前記ウェブの張力を検出する工程と、前記中間駆動ローラより前記ウェブの搬送方向の下流側の下流側区間における前記ウェブの張力を検出する工程と、前記上流側区間における前記ウェブの張力と前記下流側区間における前記ウェブの張力に基づいて前記上流側駆動ローラの回転速度を制御して前記ウェブの張力を調整する工程と、を有することを特徴とするものである。
【００３６】
従って、上流側区間と下流側区間との間に中間駆動ローラがあっても、上流側区間におけるウェブの張力と下流側区間におけるウェブの張力を適正張力調整することができる。その結果、ウェブの張力を適正に調整可能とすると共に、ウェブの張力調整作業の作業性の向上を図ることができる。
【００３７】
また、本発明の印刷機は、ウェブを供給する給紙装置と、前記給紙装置から供給された前記ウェブに対して印刷を施す印刷装置と、前記印刷装置により印刷が施された前記ウェブを縦折りした後に断裁して所定の折帖を形成する折り装置と、前記ウェブの張力調整装置と、を備えることを特徴とするものである。
【００３８】
従って、上流側区間と下流側区間との間に中間駆動ローラがあっても、上流側区間におけるウェブの張力と下流側区間におけるウェブの張力を適正張力調整することができる。その結果、ウェブの張力を適正に調整可能とすると共に、ウェブの張力調整作業の作業性の向上を図ることができる。
【００３９】
本発明の印刷機では、前記給紙装置は、複数の給紙ユニットを有し、前記印刷装置は、複数の印刷装置を有し、前記折り装置は、前記印刷装置により印刷が施された複数の前記ウェブを縦折りした後に断裁して所定の折帖を形成するものであり、前記制御装置は、複数の前記ウェブの搬送経路で全ての前記下流側区間における前記ウェブの張力が予め設定された下流側適正張力に調整されると、離間位置にある前記中間駆動ローラを対接位置に移動することを特徴としている。
【００４０】
従って、全てのウェブの張力が上流側適正張力に調整されると、離間位置にある中間駆動ローラを対接位置に移動することから、全てのウェブに対して同時に中間駆動ローラが接触することとなり、ウェブの破断を抑制することができる。
【発明の効果】
【００４１】
本発明のウェブの張力調整装置および方法並びに印刷機によれば、ウェブの張力を適正に調整可能とすると共に、ウェブの張力調整作業の作業性の向上を図ることができる。
【図面の簡単な説明】
【００４２】
【図１】図１は、本実施形態のウェブの張力調整装置を表す概略構成図である。
【図２】図２は、印刷ユニットの胴入れ状態を表す概略図である。
【図３】図３は、印刷ユニットの胴抜き状態を表す概略図である。
【図４−１】図４−１は、ウェブの張力調整作業内容を表す概略図である。
【図４−２】図４−２は、ウェブの張力調整作業内容の変形例を表す概略図である。
【図５】図５は、印刷ユニットにおけるウェブの張力調整作業を表すフローチャートである。
【図６】図６は、印刷ユニットにおけるウェブの張力調整作業の第１変形例を表すフローチャートである。
【図７】図７は、印刷ユニットにおけるウェブの張力調整作業の第２変形例を表すフローチャートである。
【図８】図８は、本実施形態のウェブの張力調整装置の変形例を表す概略構成図である。
【図９】図９は、ウェブパスユニットにおけるウェブの張力調整作業を表すフローチャートである。
【図１０】図１０は、ウェブの張力調整作業を表すタイミングチャートである。
【図１１】図１１は、ウェブの張力調整作業の第１変形例を表すタイミングチャートである。
【図１２】図１２は、ウェブの張力調整作業の第２変形例を表すタイミングチャートである。
【図１３】図１３は、ウェブの張力調整作業の第３変形例を表すタイミングチャートである。
【図１４】図１４は、印刷作業を表すフローチャートである。
【図１５】図１５は、ウェブの張力調整作業の変形例を表すタイミングチャートである。
【図１６】図１６は、印刷作業の変形例を表すフローチャートである。
【図１７】図１７は、新聞用オフセット輪転印刷機を表す概略構成図である。
【図１８】図１８は、新聞用オフセット輪転印刷機における印刷ユニットを表す概略構成図である。
【発明を実施するための形態】
【００４３】
以下に添付図面を参照して、本発明に係るウェブの張力調整装置および方法並びに印刷機の好適な実施形態を詳細に説明する。なお、この実施形態により本発明が限定されるものではなく、また、複数の実施形態がある場合には、各実施形態を組み合わせて構成するものも含むものである。
【００４４】
図１７は、新聞用オフセット輪転印刷機を表す概略構成図である。
【００４５】
本実施形態の印刷機は、図１７に示すように、新聞用オフセット輪転印刷機１０であって、給紙装置Ｒと、インフィード装置Ｉと、印刷装置Ｕと、ウェブパス装置Ｄと、折機Ｆとから構成される。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有する。
【００４６】
なお、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４７】
給紙装置Ｒにおいて、給紙ユニットＲ１〜Ｒ７は、ほぼ同様の構成をなし、ウェブＷがロール状に巻かれた３つの巻取紙を保持する保持アームを有し、保持アームを回動することで、巻取紙を給紙位置に回動することができる。インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷの張力を調整することで、印刷装置Ｕを走行するウェブＷの張力を適正値に安定して維持する。なお、給紙装置Ｒからインフィード装置ＩまでのウェブＷの張力は、給紙ユニットＲ１〜Ｒ７に設けられた図示しないブレーキ装置により行われる。
【００４８】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。印刷ユニットＵ１１〜Ｕ６２は、ほぼ同様の構成をなし、インキ供給装置、版胴、ブランケット胴などを有する。印刷ユニットＵ１〜Ｕ６は、版胴の周長（直径）とブランケット胴の周長（直径）が同じに設定されている。ここで、印刷ユニットＵ１〜Ｕ６は、版胴とブランケット胴が版胴の周長（直径）とブランケット胴の周長（直径）が同じに設定されているが、版胴の周長（直径）がブランケット胴の周長（直径）の１／２であってもよい。
【００４９】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられる。ウェブパスユニットＤ１，Ｄ２は、ほぼ同様の構成をなし、ウェブＷを縦方向（ウェブＷの搬送方向）に沿ってその幅方向の中央部で裁断するスリッタ、縦裁断したウェブＷの搬送経路を設定するターンバー、ウェブＷの経路長を変更可能なコンペンセータ（経路長変更装置）などを有する。
【００５０】
印刷ユニットＵ１〜Ｕ３で印刷が施された各ウェブＷは、ウェブパスユニットＤ１にて、スリッタにより縦裁断され、ターンバーにより搬送経路が変更され、コンペンセータにより経路長が変更されてから、所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより経路長が変更されてから、所定の順番に重ね合わされる。
【００５１】
折機Ｆにて、２つの折ユニットＦ１，Ｆ２は、操作側と駆動側に配設される。ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００５２】
ここで、印刷装置Ｕにおける印刷ユニットＵ１について詳細に説明する。図１８は、新聞用オフセット輪転印刷機における印刷ユニットを表す概略構成図である。
【００５３】
印刷ユニットＵ１は、図１８に示すように、４色印刷が可能となるように、Ｈ型のタワーユニットとなっている。印刷ユニットＵ１は、ウェブＷの搬送方向（図１８にて、下から上に向かう方向）に沿って、墨、藍、紅、黄ごとの４つのスタック２１，２２，２３，２４が配置されて構成され、スタック２１，２２，２３，２４は、それぞれ左右対称となるローラ配列となっている。
【００５４】
スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接する。スタック２１，２２，２３，２４は、版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられる。また、版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられる。
【００５５】
このように構成された本実施形態の新聞用オフセット輪転印刷機１０にて、印刷運転を開始する前の準備作業として、ウェブＷの張力を調整する作業がある。新聞用オフセット輪転印刷機１０は、ウェブＷの搬送経路に駆動回転可能な複数の駆動ローラが設けられると共に、複数の駆動ローラの間の領域におけるウェブＷの張力を掲出する張力検出器が設けられている。そのため、張力検出器の検出結果に基づいて複数の駆動ローラの回転速度を増減することで、ウェブＷの張力を調整する。
【００５６】
図１は、本実施形態のウェブの張力調整装置を表す概略構成図である。
【００５７】
図１に示すように、給紙装置Ｒは、保持アーム１０１が複数（例えば、３個）の巻取紙ＷＲを保持する。巻取紙ＷＲから繰り出されたウェブＷは、ガイドローラ１０２、フローティングローラ１０３、ガイドローラ１０４、テンションピックアップローラ１０５、ガイドローラ１０６を介してインフィード装置Ｉに送られる。保持アーム１０１は、巻取紙ＷＲから繰り出されるウェブＷに対して制動するブレーキ装置１０７が設けられる。
【００５８】
インフィード装置Ｉは、給紙装置Ｒから供給されたウェブＷを受け取り、ガイドローラ１０８、インフィードドラグローラ１０９および紙押えローラ１１０、テンションピックアップローラ１１１を介して印刷装置Ｕに送られる。インフィードドラグローラ１０９は、駆動モータ１１２により駆動回転可能である。
【００５９】
印刷装置Ｕは、上述したように、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂを有し、インフィード装置Ｉから供給されたウェブＷに対して両面印刷を行う。ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂは、駆動モータ１１３，１１４，１１５，１１６により独立して駆動回転可能である。印刷済のウェブＷは、テンションピックアップローラ１１７、出口ドラグローラ１１８および紙押えローラ１１９、ガイドローラ１２０を介してウェブパス装置Ｄに送られる。出口ドラグローラ１１８は、駆動モータ１２１により駆動回転可能である。
【００６０】
ウェブパス装置Ｄは、印刷装置Ｕから供給されたウェブＷをスリッタナイフ１２２およびスリッタドラグローラ１２３により幅方向の中央部で裁断され、ターンバーにより搬送経路が変更されると共に、コンペンセータにより経路長が変更される。スリッタドラグローラ１２３は、駆動モータ１２４により駆動回転可能である。その後、ウェブＷは、中間ドラグローラ１２５，１２６および紙押えローラ１２７，１２８、テンションピックアップローラ１２９，１３０、三角板ドラグローラ１３１および紙押えローラ１３２を介して折機Ｆに送られる。中間ドラグローラ１２５，１２６は、駆動モータ１３３により駆動回転可能であり、三角板ドラグローラ１３１は、駆動モータ１３４により駆動回転可能である。なお、中間ドラグローラ１２５，１２６に対して紙押えローラ１２７，１２８を設けなくてもよい。
【００６１】
制御装置１４０は、ブレーキ装置１０７を制御することで、巻取紙ＷＲからのウェブＷの繰り出し速度を調整することができる。また、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１の回転速度を制御することができる。更に、制御装置１４０は、テンションピックアップローラ１０５，１１１，１１７，１２９，１３０から検出値が入力される。
【００６２】
ところで、新聞用オフセット輪転印刷機１０による印刷運転時、印刷装置Ｕは、ブランケット胴３１ａ，３１ｂ，３２ａ，３２ｂ，３３ａ，３３ｂ，３４ａ，３４ｂの外周面がウェブＷの表裏に接触した胴入れ状態にある。一方、新聞用オフセット輪転印刷機１０における張力調整作業時、印刷装置Ｕは、ブランケット胴３１ａ，３１ｂ，３２ａ，３２ｂ，３３ａ，３３ｂ，３４ａ，３４ｂの外周面がウェブＷの表裏から離脱した胴抜き状態にある。但し、この張力調整作業時、ブランケット胴３１ａ，３１ｂ，３２ａ，３２ｂ，３３ａ，３３ｂ，３４ａ，３４ｂの一部は、外周面がウェブＷの表裏に接触している。
【００６３】
図２は、印刷ユニットの胴入れ状態を表す概略図、図３は、印刷ユニットの胴抜き状態を表す概略図である。
【００６４】
図２に示すように、印刷ユニットＵ１の胴入れ状態では、ブランケット胴３１ａ，３２ａ，３３ａ，３４ａの外周面と、ブランケット胴３１ｂ，３２ｂ，３３ｂ，３４ｂの外周面が、ウェブＷを挟んで対接している。ブランケット胴３１ａ，３２ａ，３３ａ，３４ａとブランケット胴３１ｂ，３２ｂ，３３ｂ，３４ｂとは、鉛直方向に所定距離だけずれて配置されており、印刷ユニットＵ１の胴入れ状態では、ウェブＷがブランケット胴３１ａ，３１ｂ，３２ａ，３２ｂ，３３ａ，３３ｂ，３４ａ，３４ｂの外周面に所定角度だけ巻き付いた状態にある。
【００６５】
一方、図３に示すように、印刷ユニットＵ１の胴抜き状態では、ブランケット胴３１ａ，３２ａ，３３ａ，３４ａの外周面と、ブランケット胴３１ｂ，３２ｂ，３３ｂ，３４ｂの外周面が、ウェブＷを間にして離間している。このとき、印刷ユニットＵ１内のウェブＷは、鉛直方向に沿った直線状態となる。しかし、ウェブＷは、インフィードドラグローラ１０９および紙押えローラ１１０からテンションピックアップローラ１１１を介してブランケット胴３１ａとブランケット胴３１ｂとの間に搬送される。ここで、テンションピックアップローラ１１１とブランケット胴３１ａ，３１ｂは、水平方向にずれて配置されている。そのため、ウェブＷは、テンションピックアップローラ１１１からブランケット胴３１ａとブランケット胴３１ｂとの間に搬送されるとき、ブランケット胴３１ｂの外周面に所定角度だけ巻き付いた状態となる。また、ウェブＷが印刷ユニットＵ１を通過するとき、一部のブランケット胴３２ａ，３３ｂ，３４ａに接触する。
【００６６】
新聞用オフセット輪転印刷機１０にて、ウェブＷの張力を調整する作業を実施するとき、印刷ユニットＵ１がある区間では、胴抜き状態にて、インフィードドラグローラ１０９と出口ドラグローラ１１８との間を１つの区間としてウェブＷの張力を調整する。ところが、上述したように、インフィードドラグローラ１０９と出口ドラグローラ１１８の間の区間には、印刷ユニットＵ１があり、一部のブランケット胴３１ｂ，３２ａ，３３ｂ，３４ａがウェブＷに接触している。そのため、印刷ユニットＵ１の上流側と下流側でウェブＷの張力が異なってしまい、ウェブＷの張力を適正値に調整することが困難となる。また、版胴４１ａ，４１ｂ，４２ａ，４２ｂ，４３ａ，４３ｂ，４４ａ，４４ｂに対して刷版を装着した後、この版胴４１ａ，４１ｂ，４２ａ，４２ｂ，４３ａ，４３ｂ，４４ａ，４４ｂやブランケット胴３１ａ，３１ｂ，３２ａ，３２ｂ，３３ａ，３３ｂ，３４ａ，３４ｂの位相を合わせる必要がある。このとき、正転や逆転を行うこととなり、ウェブＷが緩んだり、引っ張られたりするため、ウェブＷの張力がさまざまな状態になっている。
【００６７】
そこで、本実施形態では、印刷ユニットＵ１の上流側におけるウェブＷの張力と印刷ユニットＵ１の下流側におけるウェブＷの張力に基づいて、インフィードドラグローラ１０９と出口ドラグローラ１１８の回転速度を制御することで、ウェブＷの張力を適正値に調整するようにしている。
【００６８】
本実施形態のウェブの張力調整装置は、ウェブＷの搬送方向に所定間隔を空けて配置されてウェブＷを搬送可能な上流側駆動ローラおよび下流側駆動ローラと、上流側駆動ローラと下流側駆動ローラとの間に配置されてウェブＷを搬送可能な中間駆動ローラと、中間駆動ローラよりウェブＷの搬送方向の上流側の上流側区間におけるウェブＷの張力を検出する上流側張力検出器と、中間駆動ローラよりウェブＷの搬送方向の下流側の下流側区間におけるウェブＷの張力を検出する下流側張力検出器と、上流側張力検出器と下流側張力検出器の検出結果に基づいて上流側駆動ローラの回転速度を調整可能な制御装置とを備える。
【００６９】
以下、本実施形態のウェブの張力調整装置について詳細に説明する。まず、印刷ユニットＵ１が配置された区間を、本実施形態のウェブの張力調整装置によるウェブ張力調整区間に適用して説明する。この場合、図１に示すように、上流側駆動ローラは、インフィードドラグローラ１０９、下流側駆動ローラは、出口ドラグローラ１１８、中間駆動ローラは、ブランケット胴３１ａ，３１ｂ，３２ａ，３２ｂ，３３ａ，３３ｂ，３４ａ，３４ｂ、上流側張力検出器は、テンションピックアップローラ１１１、下流側張力検出器は、テンションピックアップローラ１１７、制御装置は、制御装置１４０に相当する。そして、上流側区間とは、インフィードドラグローラ１０９とブランケット胴３１ａ，３１ｂとの間の区間であり、下流側区間とは、ブランケット胴３４ａ，３４ｂと出口ドラグローラ１１８との間の区間である。ただし、上流側区間や下流側区間には、ブランケット胴３１ａ，３１ｂ，３２ａ，３２ｂ，３３ａ，３３ｂ，３４ａ，３４ｂ以外のガイドローラや駆動ローラなど他の複数のローラが配置されていてもよい。
【００７０】
図４−１は、ウェブの張力調整作業内容を表す概略図、図５は、印刷ユニットにおけるウェブの張力調整作業を表すフローチャートである。
【００７１】
図１および図４−１に示すように、ウェブＷの張力調整作業にて、制御装置１４０による制御は、（１）紙張り制御、（２）低テンション付与制御、（３）紙押え制御、（４）適正テンション付与制御、（５）緩動運転制御、（６）上流側テンション制御がある。
【００７２】
（１）紙張り制御は、紙通し後に、ウェブＷの下流側を引いて弛んだ部分をなくす制御であり、下流側区間の目標張力は、Ｔｄ１（例えば、０より大きい値）である。そして、下流側駆動ローラ（出口ドラグローラ１１８）の回転速度を１００％としたとき、上流側駆動ローラ（インフィードドラグローラ１０９）の速度比は、例えば、０％、印刷ユニット（ブランケット胴３１ａ，３１ｂ，３２ａ，３２ｂ，３３ａ，３３ｂ，３４ａ，３４ｂ）の速度比は、例えば、０％である。このとき、インフィードドラグローラ１０９と出口ドラグローラ１１８の紙押えローラ１１０，１１９は、脱状態である。
【００７３】
（２）低テンション付与制御は、紙張り制御後に、下流側区間におけるウェブＷに対して予め設定された下流側適正低張力を付与する制御であり、目標張力は、Ｔｄ１より高いＴｄ２である。そして、上流側駆動ローラ（インフィードドラグローラ１０９）の速度比は、例えば、９９％、印刷ユニット（ブランケット胴３１ａ，３１ｂ，３２ａ，３２ｂ，３３ａ，３３ｂ，３４ａ，３４ｂ）の速度比は、例えば、１００％であり、このとき、インフィードドラグローラ１０９と出口ドラグローラ１１８の紙押えローラ１１０，１１９は、脱状態である。
【００７４】
（３）紙押え制御は、低テンション付与制御後に、インフィードドラグローラ１０９と紙押えローラ１１０、出口ドラグローラ１１８と紙押えローラ１１９とでウェブＷを挟んで押さえる制御である。つまり、紙押えローラ１１０，１１９を脱位置から着位置に移動する。下流側区間の目標張力（下流側適正低張力Ｔｄ２）、上流側駆動ローラ（インフィードドラグローラ１０９）の速度比、印刷ユニット（ブランケット胴３１ａ，３１ｂ，３２ａ，３２ｂ，３３ａ，３３ｂ，３４ａ，３４ｂ）の速度比は、変更しない。
【００７５】
（４）適正テンション付与制御は、紙押え制御後に、下流側区間におけるウェブＷに対して予め設定された下流側適正張力を付与する制御であり、目標張力は、Ｔｄ２より高いＴｄ３である。そして、上流側駆動ローラ（インフィードドラグローラ１０９）の速度比は、例えば、９８％、印刷ユニット（ブランケット胴３１ａ，３１ｂ，３２ａ，３２ｂ，３３ａ，３３ｂ，３４ａ，３４ｂ）の速度比は、例えば、１００％であり、このとき、インフィードドラグローラ１０９と出口ドラグローラ１１８の紙押えローラ１１０，１１９は、着状態である。
【００７６】
（５）緩動運転制御は、適正テンション付与制御後に、下流側区間におけるウェブＷの張力を下流側適正張力に維持する制御であり、目標張力は、Ｔｄ３である。そして、上流側駆動ローラ（インフィードドラグローラ１０９）の速度比は、Ｎ％であり、この速度比Ｎ％は、フィードバック制御される。また、印刷ユニット（ブランケット胴３１ａ，３１ｂ，３２ａ，３２ｂ，３３ａ，３３ｂ，３４ａ，３４ｂ）の速度比は変更しない。このとき、インフィードドラグローラ１０９と出口ドラグローラ１１８の紙押えローラ１１０，１１９は、着状態である。
【００７７】
（６）上流側テンション制御は、緩動運転制御後に、上流側区間におけるウェブＷに対して予め設定された上流側適正張力を付与する制御であり、目標張力は、Ｔｄ３より高いＴｕａである。そして、上流側駆動ローラ（インフィードドラグローラ１０９）の速度比は、９８％より低いＮａ％である。
【００７８】
本実施形態のウェブの張力調整装置によるウェブＷの張力調整作業について具体的に説明する。図３および図５に示すように、ウェブＷの張力調整作業の開始時、印刷ユニットＵ１は、ブランケット胴３１ａ，３１ｂ，３２ａ，３２ｂ，３３ａ，３３ｂ，３４ａ，３４ｂの外周面がウェブＷの表裏から離脱した胴抜き状態にあるが、一部のブランケット胴３１ｂ，３２ａ，３３ｂ，３４ａは、外周面がウェブＷの表裏に接触している。
【００７９】
ステップＳ１１にて、制御装置１４０は、紙通し作業が完了したかどうかを判定する。ここで、紙通し作業が完了していないと判定（Ｎｏ）されると、この状態が維持される。一方、紙通し作業が完了したと判定（Ｙｅｓ）されると、ステップＳ１２にて、制御装置１４０は、印刷ユニットＵ１の胴位相合わせが完了したかどうかを判定する。胴位相合わせ作業では、版胴４１ａ，４１ｂ，４２ａ，４２ｂ，４３ａ，４３ｂ，４４ａ，４４ｂをゆっくり回したり速く回したり、正転したり、逆転したりして位相を合わせる。そのため、版胴４１ａ，４１ｂ，４２ａ，４２ｂ，４３ａ，４３ｂ，４４ａ，４４ｂと同期して回転するブランケット胴３１ａ，３１ｂ，３２ａ，３２ｂ，３３ａ，３３ｂ，３４ａ，３４ｂの上下胴間のウェブＷは緩んでいる場合や引っ張られている場合などさまざまである。ここで、印刷ユニットＵ１の胴位相合わせが完了していないと判定（Ｎｏ）されると、この状態が維持される。一方、印刷ユニットＵ１の胴位相合わせが完了したと判定（Ｙｅｓ）されると、ステップＳ１３以降で、紙張り運転が開始される。
【００８０】
ステップＳ１４にて、制御装置１４０は、下流側駆動ローラ（出口ドラグローラ１１８）を駆動回転して紙張り制御を行う。すると、上流側駆動ローラ（インフィードドラグローラ１０９）と下流側駆動ローラ（出口ドラグローラ１１８）との間の区間でウェブＷの弛みが解消され、ウェブＷに張力が発生する。ステップＳ１５にて、制御装置１４０は、下流側区間におけるウェブＷの張力Ｔｄが目標張力Ｔｄ１（例えば、０）以上になったかどうかを判定する。ウェブＷの張力Ｔｄは、テンションピックアップローラ１１７による検出結果を用いる。ここで、ウェブＷの張力Ｔｄが目標張力Ｔｄ１より小さいと判定（Ｎｏ）されると、この状態を維持する。一方、ウェブＷの張力Ｔｄが目標張力Ｔｄ１以上であると判定（Ｙｅｓ）されると、ステップＳ１６にて、印刷ユニットＵ１（ブランケット胴３１ａ，３１ｂ，３２ａ，３２ｂ，３３ａ，３３ｂ，３４ａ，３４ｂ）と上流側駆動ローラ（インフィードドラグローラ１０９）を駆動回転し、上流側駆動ローラ（インフィードドラグローラ１０９）を調整して低テンション付与制御を行う。すると、上流側駆動ローラ（インフィードドラグローラ１０９）と下流側駆動ローラ（出口ドラグローラ１１８）との間の区間でウェブＷの張力が増加する。
【００８１】
ステップＳ１７にて、制御装置１４０は、下流側区間におけるウェブＷの張力Ｔｄが下流側適正低張力Ｔｄ２以上になったかを判定する。ここで、ウェブＷの張力Ｔｄが下流側適正低張力Ｔｄ２より小さいと判定（Ｎｏ）されると、この状態を維持する。一方、ウェブＷの張力Ｔｄが下流側適正低張力Ｔｄ２以上であると判定（Ｙｅｓ）されると、ステップＳ１８にて、紙押えローラ１１０，１１９を脱位置から着位置に移動する。この場合、紙押えローラ１１０だけを脱位置から着位置に移動してもよい。続いて、ステップＳ１９にて、制御装置１４０は、上流側駆動ローラ（インフィードドラグローラ１０９）の回転速度を減速して適正テンション付与制御を行う。すなわち、下流側駆動ローラ（出口ドラグローラ１１８）の回転速度に対して、上流側駆動ローラ（インフィードドラグローラ１０９）の回転速度を遅くすることから、上流側駆動ローラ（インフィードドラグローラ１０９）と下流側駆動ローラ（出口ドラグローラ１１８）との間の区間でウェブＷの張力が増加する。
【００８２】
ただし、ステップＳ１９の適正テンション付与制御は、仮に下流側適正張力Ｔｄ３が下流側適正低張力Ｔｄ２より低い場合は、上流側駆動ローラ（インフィードドラグローラ１０９）の回転速度を増加する場合もあるため、上流側駆動ローラ（インフィードドラグローラ１０９）の回転速度は、ウェブＷの張力Ｔｄに合わせて適宜変更し、適正張力に調整する。
【００８３】
ステップＳ２０にて、制御装置１４０は、下流側区間におけるウェブＷの張力Ｔｄが下流側適正張力Ｔｄ３に到達したかどうかを判定する。ここで、ウェブＷの張力Ｔｄが下流側適正張力Ｔｄ３より低いと判定（Ｎｏ）されると、この状態を維持する。一方、ウェブＷの張力Ｔｄが下流側適正張力Ｔｄ３と同じであると判定（Ｙｅｓ）されると、ステップＳ２１にて、下流側区間におけるウェブＷの張力Ｔｄを下流側適正張力Ｔｄ３に維持する緩動運転制御を行う。緩動運転制御を行うことで、ステップＳ２２にて、紙張り運転が完了する。
【００８４】
図４−１および図５に示すように、ステップＳ２３にて、印刷ユニットＵ１にて、ブランケット胴３１ａ，３２ａ，３３ａ，３４ａの外周面とブランケット胴３１ｂ，３２ｂ，３３ｂ，３４ｂの外周面をウェブＷを挟んで対接させる胴入れを行う。なお、新聞用オフセット輪転印刷機１０にて、給紙装置Ｒ、インフィード装置Ｉ、印刷装置Ｕ、ウェブパス装置Ｄは、それぞれ複数のユニットを有している。そのため、複数のウェブ搬送経路が存在する。そのため、複数のウェブ搬送経路があるとき、全てのウェブ搬送経路にて、ウェブＷの張力Ｔｄが下流側適正張力Ｔｄ３となって紙張り運転が完了すると、全てのウェブ搬送経路にあるブランケット胴３１ａ，３２ａ，３３ａ，３４ａの胴入れを行うようにすることが望ましい。
【００８５】
その後、ステップＳ２４にて、制御装置１４０は、上流側駆動ローラ（インフィードドラグローラ１０９）の回転速度を更に減速して上流側テンション制御を行う。すなわち、下流側駆動ローラ（出口ドラグローラ１１８）の回転速度に対して、上流側駆動ローラ（インフィードドラグローラ１０９）の回転速度を更に遅くすることから、上流側駆動ローラ（インフィードドラグローラ１０９）と下流側駆動ローラ（出口ドラグローラ１１８）との間の区間でウェブＷの張力が更に増加する。本実施形態ウェブの張力調整装置は、上記制御を行うが、これに限定されるものではない。例えば、ステップＳ２３の処理とステップＳ２６の処理は、逆に行ってもよいし、同時に行ってもよい。なお、胴入れ作業は、ウェブＷが複数の場合、他のユニットの紙張り運転が完了したことを確認した後で行う。
【００８６】
ステップＳ２５にて、制御装置１４０は、上流側区間におけるウェブＷの張力Ｔｕが上流側適正張力Ｔｕａ以上になったかどうかを判定する。ウェブＷの張力Ｔｕは、テンションピックアップローラ１１１による検出結果を用いる。ここで、ウェブＷの張力Ｔｕが上流側適正張力Ｔｕａより小さいと判定（Ｎｏ）されると、この状態を維持する。一方、ウェブＷの張力Ｔｕが上流側適正張力Ｔｕａ以上であると判定（Ｙｅｓ）されると、ステップＳ２６にて、上流側区間におけるウェブＷの張力を上流側適正張力に維持することで、上流側テンション制御が完了する。そして、ステップＳ２７にて、印刷ユニットＵ１を加速運転した後、ステップＳ２８にて、印刷を開始する。
【００８７】
なお、本実施形態のウェブの張力調整装置によるウェブＷの張力調整作業は、上述した方法に限定されるものではない。図４−２は、ウェブの張力調整作業内容の変形例を表す概略図、図６は、印刷ユニットにおけるウェブの張力調整作業の第１変形例を表すフローチャート、図７は、印刷ユニットにおけるウェブの張力調整作業の第２変形例を表すフローチャートである。なお、上述した実施形態と同様の機能を有するステップには、同一の符号を付して詳細な説明は省略する。
【００８８】
図１および図４−２に示すように、ウェブＷの張力調整作業にて、制御装置１４０による制御は、（１）紙張り制御、（２）低テンション付与制御、（３）紙押え制御、（４）適正テンション付与制御、（５）緩動運転制御、（６）上流側テンション制御がある。
【００８９】
（１）紙張り制御は、紙通し後に、ウェブＷの下流側を引いて弛んだ部分をなくす制御であり、上流側区間の目標張力は、Ｔｕ１（例えば、０より大きい値）である。
（２）低テンション付与制御は、紙張り制御後に、上流側区間におけるウェブＷに対して予め設定された下流側適正低張力（下流側張力調整用上流側張力）を付与する制御であり、目標張力は、Ｔｕ１より高いＴｕ２である。
（３）紙押え制御は、低テンション付与制御後に、インフィードドラグローラ１０９と紙押えローラ１１０、出口ドラグローラ１１８と紙押えローラ１１９とでウェブＷを挟んで押さえる制御である。つまり、紙押えローラ１１０，１１９を脱位置から着位置に移動する。上流側区間の目標張力(下流側張力調整用上流側張力Ｔｕ２)である。
（４）適正テンション付与制御は、紙押え制御後に、下流側区間におけるウェブＷに対して予め設定された下流側適正張力を付与する制御であり、目標張力は、Ｔｕ２より高いＴｄ３である。
（５）緩動運転制御は、適正テンション付与制御後に、下流側区間におけるウェブＷの張力を下流側適正張力に維持する制御であり、目標張力は、Ｔｄ３である。
（６）上流側テンション制御は、緩動運転制御後に、上流側区間におけるウェブＷに対して予め設定された上流側適正張力を付与する制御であり、目標張力は、Ｔｄ３より高いＴｕａである。
【００９０】
本実施形態のウェブの張力調整装置によるウェブＷの張力調整作業の第１変形例について具体的に説明する。
【００９１】
図３および図６に示すように、ステップＳ１１にて、制御装置１４０は、紙通し作業が完了したかどうかを判定する。ここで、紙通し作業が完了したと判定（Ｙｅｓ）されると、ステップＳ１２にて、制御装置１４０は、印刷ユニットの胴位相合わせが完了したかどうかを判定する。ここで、印刷ユニットの胴位相合わせが完了したと判定（Ｙｅｓ）されると、ステップＳ１３以降で、紙張り運転が開始される。
【００９２】
ステップＳ１４にて、制御装置１４０は、下流側駆動ローラ（出口ドラグローラ１１８）を駆動回転して紙張り制御を行う。すると、上流側区間と下流側区間でウェブＷの弛みが解消され、ウェブＷに張力が発生する。ステップＳ１５Ａにて、制御装置１４０は、上流側区間におけるウェブＷの張力Ｔｕが目標張力Ｔｕ１（例えば、０）以上になったかどうかを判定する。ここで、ウェブＷの張力Ｔｕが目標張力Ｔｕ１以上であると判定（Ｙｅｓ）されると、ステップＳ１６にて、印刷ユニットＵ１（ブランケット胴３１ａ，３１ｂ，３２ａ，３２ｂ，３３ａ，３３ｂ，３４ａ，３４ｂ）と上流側駆動ローラ（インフィードドラグローラ１０９）を駆動回転し、上流側駆動ローラ（インフィードドラグローラ１０９）を調整して低テンション付与制御を行う。すると、上流側駆動ローラ（インフィードドラグローラ１０９）と下流側駆動ローラ（出口ドラグローラ１１８）との間の区間でウェブＷの張力が増加する。
【００９３】
ステップＳ１７Ａにて、制御装置１４０は、上流側区間におけるウェブＷの張力Ｔｕが下流側張力調整用上流側張力Ｔｕ２以上になったかどうかを判定する。ここで、ウェブＷの張力Ｔｕが下流側張力調整用上流側張力Ｔｕ２以上であると判定（Ｙｅｓ）されると、ステップＳ１８にて、紙押えローラ１１０，１１９を脱位置から着位置に移動する。続いて、ステップＳ１９にて、制御装置１４０は、上流側駆動ローラ（インフィードドラグローラ１０９）の回転速度を減速して適正テンション付与制御を行う。
【００９４】
ステップＳ２０Ａにて、制御装置１４０は、下流側区間におけるウェブＷの張力Ｔｄが下流側適正張力Ｔｄ３以上になったかを判定する。ここで、ウェブＷの張力Ｔｄが下流側適正張力Ｔｄ３より低いと判定（Ｎｏ）されると、この状態を維持する。一方、ウェブＷの張力Ｔｄが下流側適正張力Ｔｄ３以上であると判定（Ｙｅｓ）されると、ステップＳ２１にて、上流側区間におけるウェブＷの張力Ｔｕを現在の張力に維持する緩動運転制御を行う。緩動運転制御を行うことで、ステップＳ２２にて、紙張り運転が完了する。
【００９５】
図４−２および図６に示すように、ステップＳ２３にて、印刷ユニットＵ１にて、ブランケット胴３１ａ，３２ａ，３３ａ，３４ａの外周面とブランケット胴３１ｂ，３２ｂ，３３ｂ，３４ｂの外周面がウェブＷを挟んで対接する胴入れを行う。その後、ステップＳ２４にて、制御装置１４０は、上流側駆動ローラ（インフィードドラグローラ１０９）の回転速度を更に減速して上流側テンション制御を行う。ステップＳ２５にて、制御装置１４０は、上流側区間におけるウェブＷの張力Ｔｕが上流側適正張力Ｔｕａ以上になったかを判定する。ここで、ウェブＷの張力Ｔｄが上流側適正張力Ｔｕａ以上であると判定（Ｙｅｓ）されると、ステップＳ２６にて、上流側区間におけるウェブＷの張力を上流側適正張力に維持することで、上流側テンション制御が完了する。そして、ステップＳ２７にて、印刷ユニットＵ１を加速運転した後、ステップＳ２８にて、印刷を開始する。
【００９６】
また、本実施形態のウェブの張力調整装置によるウェブＷの張力調整作業の第２変形例について具体的に説明する。
【００９７】
図３および図７に示すように、ステップＳ１１にて、制御装置１４０は、紙通し作業が完了したかどうかを判定する。ここで、紙通し作業が完了していないと判定（Ｎｏ）されると、この状態が維持される。一方、紙通し作業が完了したと判定（Ｙｅｓ）されると、ステップＳ１２にて、制御装置１４０は、印刷ユニットＵ１の胴位相合わせが完了したかどうかを判定する。ここで、印刷ユニットＵ１の胴位相合わせが完了していないと判定（Ｎｏ）されると、この状態が維持される。一方、印刷ユニットＵ１の胴位相合わせが完了したと判定（Ｙｅｓ）されると、ステップＳ１３以降で、紙張り運転が開始される。
【００９８】
ステップＳ１４にて、制御装置１４０は、下流側駆動ローラ（出口ドラグローラ１１８）を駆動回転して紙張り制御を行う。すると、上流側駆動ローラ（インフィードドラグローラ１０９）と下流側駆動ローラ（出口ドラグローラ１１８）との間の区間でウェブＷの弛みが解消され、ウェブＷに張力が発生する。ステップＳ１５にて、制御装置１４０は、下流側区間におけるウェブＷの張力Ｔｄが目標張力Ｔｄ１（例えば、０）以上になったかどうかを判定する。ここで、ウェブＷの張力Ｔｄが目標張力Ｔｄ１より小さいと判定（Ｎｏ）されると、この状態を維持する。一方、ウェブＷの張力Ｔｄが目標張力Ｔｄ１以上であると判定（Ｙｅｓ）されると、ステップＳ１６にて、印刷ユニットＵ１（ブランケット胴３１ａ，３１ｂ，３２ａ，３２ｂ，３３ａ，３３ｂ，３４ａ，３４ｂ）と上流側駆動ローラ（インフィードドラグローラ１０９）を駆動回転し、上流側駆動ローラ（インフィードドラグローラ１０９）を調整して低テンション付与制御を行う。すると、上流側駆動ローラ（インフィードドラグローラ１０９）と下流側駆動ローラ（出口ドラグローラ１１８）との間の区間でウェブＷの張力が増加する。
【００９９】
ステップＳ１７にて、制御装置１４０は、下流側区間におけるウェブＷの張力Ｔｄが下流側適正低張力Ｔｄ２以上になったかを判定する。ここで、ウェブＷの張力Ｔｄが下流側適正低張力Ｔｄ２より小さいと判定（Ｎｏ）されると、この状態を維持する。一方、ウェブＷの張力Ｔｄが下流側適正低張力Ｔｄ２以上であると判定（Ｙｅｓ）されると、ステップＳ１９にて、制御装置１４０は、上流側駆動ローラ（インフィードドラグローラ１０９）の回転速度を減速して適正テンション付与制御を行う。すなわち、下流側駆動ローラ（出口ドラグローラ１１８）の回転速度に対して、上流側駆動ローラ（インフィードドラグローラ１０９）の回転速度を遅くすることから、上流側駆動ローラ（インフィードドラグローラ１０９）と下流側駆動ローラ（出口ドラグローラ１１８）との間の区間でウェブＷの張力が増加する。
【０１００】
ステップＳ２０にて、制御装置１４０は、下流側区間におけるウェブＷの張力Ｔｄが下流側適正張力Ｔｄ３に到達したかどうかを判定する。ここで、ウェブＷの張力Ｔｄが下流側適正張力Ｔｄ３より低いと判定（Ｎｏ）されると、この状態を維持する。一方、ウェブＷの張力Ｔｄが下流側適正張力Ｔｄ３と同じであると判定（Ｙｅｓ）されると、ステップＳ２１にて、下流側区間におけるウェブＷの張力Ｔｄを下流側適正張力Ｔｄ３に維持する緩動運転制御を行う。緩動運転制御を行うことで、ステップＳ２２にて、紙張り運転が完了する。ステップＳ２３にて、印刷ユニットＵ１にて、ブランケット胴３１ａ，３２ａ，３３ａ，３４ａの外周面とブランケット胴３１ｂ，３２ｂ，３３ｂ，３４ｂの外周面をウェブＷを挟んで対接させる胴入れを行う。続いて、ステップＳ１８にて、紙押えローラ１１０，１１９を脱位置から着位置に移動する。この場合、紙押えローラ１１０だけを脱位置から着位置に移動してもよい。
【０１０１】
胴入れ後に紙押えローラ１１０，１１９を着位置に移動することで、紙押えローラ１１０，１１９を着位置に移動したときにウェブＷに瞬間的に作用する大きな張力が緩和される。即ち、ステップＳ１７とステップＳ１９との間のステップで紙押えローラ１１０，１１９を着位置に移動すると、インフィードドラグローラ１０９と出口ドラグローラ１１８と間の短い区間で所定の張力が確保される。すると、この区間を搬送される張力の低いウェブＷに対して瞬間的に大きな張力が作用し、ウェブＷが損傷してしまうおそれがある。一方、紙張り運転が完了すると、ウェブＷの張力Ｔｄが下流側適正張力Ｔｄ３に到達しており胴入れ後に紙押えローラ１１０，１１９を着位置に移動しても、ウェブＷに瞬間的に作用する大きな張力が緩和される。
【０１０２】
その後、ステップＳ２４にて、制御装置１４０は、上流側駆動ローラ（インフィードドラグローラ１０９）の回転速度を更に減速して上流側テンション制御を行う。ステップＳ２５にて、制御装置１４０は、上流側区間におけるウェブＷの張力Ｔｕが上流側適正張力Ｔｕａ以上になったかどうかを判定する。ここで、ウェブＷの張力Ｔｕが上流側適正張力Ｔｕａより小さいと判定（Ｎｏ）されると、この状態を維持する。一方、ウェブＷの張力Ｔｄが上流側適正張力Ｔｕａ以上であると判定（Ｙｅｓ）されると、ステップＳ２６にて、上流側区間におけるウェブＷの張力を上流側適正張力に維持することで、上流側テンション制御が完了する。そして、ステップＳ２７にて、印刷ユニットＵ１を加速運転した後、ステップＳ２８にて、印刷を開始する。
【０１０３】
なお、上述した実施形態では、本実施形態のウェブの張力調整装置を印刷装置Ｕの印刷ユニットＵ１〜Ｕ６に適用して説明したが、この構成に限定されるものではない。例えば、本実施形態のウェブの張力調整装置をウェブパス装置ＤのウェブパスユニットＤ１，Ｄ２に適用することができる。図８は、本実施形態のウェブの張力調整装置の第３変形例を表す概略構成図、図９は、ウェブパスユニットにおけるウェブの張力調整作業を表すフローチャートである。
【０１０４】
図８に示すように、ウェブパス装置Ｄ（ウェブパスユニットＤ１，Ｄ２）は、印刷装置Ｕ（図１参照）から供給されたウェブＷをスリッタナイフ１２２およびスリッタドラグローラ１２３により幅方向の中央部で裁断し、ターンバー１４１により搬送経路を変更すると共に、コンペンセータ１４２，１４３により経路長を変更する。スリッタドラグローラ１２３は、駆動モータ１２４により駆動回転可能である。その後、ウェブＷは、中間ドラグローラ１２５，１２６および紙押えローラ１２７，１２８、テンションピックアップローラ１２９，１３０、三角板ドラグローラ１３１および紙押えローラ１３２を介して折機Ｆに送られる。中間ドラグローラ１２５，１２６は、駆動モータ１３３により駆動回転可能であり、三角板ドラグローラ１３１は、駆動モータ１３４により駆動回転可能である。
【０１０５】
制御装置１４０は、駆動モータ１２４，１３３，１３４を制御することで、スリッタドラグローラ１２３、中間ドラグローラ１２５，１２６、三角板ドラグローラ１３１の回転速度を制御することができる。また、制御装置１４０は、テンションピックアップローラ１２９，１３０から検出値（ウェブＷの張力）が入力される。ここで、上流側駆動ローラは、中間ドラグローラ１２５，１２６であり、下流側駆動ローラは、三角板ドラグローラ１３１である。
【０１０６】
ウェブパス装置ＤにおけるウェブＷの張力調整作業について具体的に説明する。図８および図９に示すように、ステップＳ５１にて、制御装置１４０は、紙通し作業が完了したかどうかを判定する。ここで、紙通し作業が完了していないと判定（Ｎｏ）されると、この状態が維持される。一方、紙通し作業が完了したと判定（Ｙｅｓ）されると、ステップＳ５２以降で、紙張り運転が開始される。
【０１０７】
ステップＳ５３にて、制御装置１４０は、下流側駆動ローラ（三角板ドラグローラ１３１）を駆動回転して紙張り制御を行う。すると、上流側駆動ローラ（中間ドラグローラ１２５，１２６）と下流側駆動ローラ（三角板ドラグローラ１３１）との間の区間でウェブＷの弛みが解消され、ウェブＷに張力が発生する。ステップＳ５４にて、制御装置１４０は、この区間におけるウェブＷの張力Ｔｍが目標張力Ｔｍ１（例えば、０）以上になったかどうかを判定する。ウェブＷの張力Ｔｍは、テンションピックアップローラ１２９，１３０による検出結果を用いる。ここで、ウェブＷの張力Ｔｍが目標張力Ｔｍ１より小さいと判定（Ｎｏ）されると、この状態を維持する。一方、ウェブＷの張力Ｔｍが目標張力Ｔｍ１以上であると判定（Ｙｅｓ）されると、ステップＳ５５にて、上流側駆動ローラ（中間ドラグローラ１２５，１２６）を駆動回転し、上流側駆動ローラ（中間ドラグローラ１２５，１２６）を調整して低テンション付与制御を行う。すると、上流側駆動ローラ（中間ドラグローラ１２５，１２６）と下流側駆動ローラ（三角板ドラグローラ１３１）との間の区間でウェブＷの張力が増加する。
【０１０８】
ステップＳ５６にて、制御装置１４０は、区間におけるウェブＷの張力Ｔｍが適正低張力Ｔｍ２以上になったかを判定する。ここで、ウェブＷの張力Ｔｍが適正低張力Ｔｍ２より小さいと判定（Ｎｏ）されると、この状態を維持する。一方、ウェブＷの張力Ｔｍが適正低張力Ｔｍ２以上であると判定（Ｙｅｓ）されると、ステップＳ５７にて、制御装置１４０は、上流側駆動ローラ（中間ドラグローラ１２５，１２６）の回転速度を減速して適正テンション付与制御を行う。すなわち、下流側駆動ローラ（三角板ドラグローラ１３１）の回転速度に対して、上流側駆動ローラ（中間ドラグローラ１２５，１２６）の回転速度を遅くすることから、上流側駆動ローラ（中間ドラグローラ１２５，１２６）と下流側駆動ローラ（三角板ドラグローラ１３１）との間の区間でウェブＷの張力が増加する。
【０１０９】
ステップＳ５８にて、制御装置１４０は、区間におけるウェブＷの張力Ｔｍが適正張力Ｔｍ３に到達したかどうかを判定する。ここで、ウェブＷの張力Ｔｍが適正張力Ｔｍ３より低いと判定（Ｎｏ）されると、ステップＳ５９にて、コンペンセータ１４２，１４３の制御を実施した後、ステップＳ６０に移行する。すなわち、まず、現在のコンペンセータ１４２，１４３の位置を記憶する。次に、コンペンセータ１４２，１４３をウェブＷの経路長を増やす方向に移動することで、ウェブＷの張力を増加させる。そして、ウェブＷの張力Ｔｍが適正張力Ｔｍ３と同じになると、コンペンセータ１４２，１４３の移動を停止する。一方、ウェブＷの張力Ｔｍが適正張力Ｔｍ３と同じであると判定（Ｙｅｓ）されると、ステップＳ５９でコンペンセータ１４２，１４３の制御を実施せずにステップＳ６０に移行する。ステップＳ６０にて、区間におけるウェブＷの張力Ｔｍを適正張力Ｔｍ３に維持する緩動運転制御を行う。緩動運転制御を行うことで、ステップＳ６１にて、紙張り運転が完了する。その後、ステップＳ６２にて、ウェブパス装置Ｄを加速運転し、ステップＳ６３にて、コンペンセータ１４２，１４３をステップＳ５８で記憶した位置に復帰させる。その後、ステップＳ６４にて、印刷を開始する。本実施形態では、回転速度の制御のみでなく、コンペンセータ１４２，１４３にてウェブＷの経路長を増やすことにより、ウェブＷの緩み状態（弛み）を早期に紙張り状態に移行することができる。
【０１１０】
なお、中間ドラグローラ１２５，１２６にて、制御装置１４０が紙押えローラ１１０，１１９を脱位置から着位置に移動する処理は、ステップ５６の処理後、または、ステップＳ６１の処理後に実施すればよい。また、上流側駆動ローラを中間ドラグローラ１２５，１２６とし、下流側駆動ローラを三角板ドラグローラ１３１としたが、上流側駆動ローラをスリッタドラグローラ１２３としてもよい。
【０１１１】
ここまで、印刷ユニットＵ１が配置された区間を、本実施形態のウェブの張力調整装置によるウェブ張力調整区間に適用して説明したが、本実施形態のウェブの張力調整装置は、新聞用オフセット輪転印刷機１０におけるウェブＷの搬送区間の全域に適用することができる。すなわち、図１に示すように、インフィードドラグローラ１０９から出口ドラグローラ１１８までが第１区間となり、出口ドラグローラ１１８から中間ドラグローラ１２５，１２６までが第２区間となり、中間ドラグローラ１２５，１２６から三角板ドラグローラ１３１までが第３区間となる。
【０１１２】
第１区間では、前述と同様に、上流側駆動ローラは、インフィードドラグローラ１０９、下流側駆動ローラは、出口ドラグローラ１１８、中間駆動ローラは、ブランケット胴３１ａ，３１ｂ，３２ａ，３２ｂ，３３ａ，３３ｂ，３４ａ，３４ｂ、上流側張力検出器は、テンションピックアップローラ１１１、下流側張力検出器は、テンションピックアップローラ１１７に相当する。そして、上流側区間とは、インフィードドラグローラ１０９とブランケット胴３１ａ，３１ｂとの間の区間であり、下流側区間とは、ブランケット胴３４ａ，３４ｂと出口ドラグローラ１１８との間の区間である。
【０１１３】
第２区間では、上流側駆動ローラは、出口ドラグローラ１１８、下流側駆動ローラは、中間ドラグローラ１２５，１２６、中間駆動ローラは、スリッタドラグローラ１２３、上流側張力検出器および下流側張力検出器はないが、別途、設けてもよい。そして、上流側区間とは、出口ドラグローラ１１８とスリッタドラグローラ１２３との間の区間であり、下流側区間とは、スリッタドラグローラ１２３と中間ドラグローラ１２５，１２６との間の区間である。
【０１１４】
第３区間では、上流側駆動ローラは、中間ドラグローラ１２５，１２６、下流側駆動ローラは、三角板ドラグローラ１３１、中間駆動ローラはなく、上流側張力検出器および下流側張力検出器は、テンションピックアップローラ１２９，１３０に相当する。
【０１１５】
本実施形態のウェブの張力調整装置は、ウェブ張力調整区間がウェブＷの搬送方向に沿って複数（本実施形態では、３個）設けられ、制御装置１４０は、複数のウェブ張力調整区間のうちのウェブＷの搬送方向における下流側のウェブ張力調整区間からウェブＷの張力を調整する。すなわち、上述した第３区間、第２区間、第１区間の順にウェブＷの張力を調整する。
【０１１６】
図１０は、ウェブの張力調整作業を表すタイミングチャート、図１１は、ウェブの張力調整作業の第１変形例を表すタイミングチャート、図１２は、ウェブの張力調整作業の第２変形例を表すタイミングチャート、図１３は、ウェブの張力調整作業の第３変形例を表すタイミングチャートである。なお、図１０から図１３にて、番号（１）〜（６）は、それぞれ、紙張り制御、低テンション付与制御、紙押え制御、適正テンション付与制御、緩動運転制御、上流側テンション制御に該当する。
【０１１７】
図１０に示すように、制御装置１４０は、第１区間の上流側における給紙張力制御、インフィードドラグ制御、出口ドラグ制御、中間ドラグ制御を実施し、各制御にて、紙張り制御、低テンション付与制御、紙押え制御、適正テンション付与制御、緩動運転制御、上流側テンション制御を実施する。
【０１１８】
まず、第３区間にて、中間ドラグ制御における紙張り制御と低テンション付与制御を実施する。次に、第２区間にて、出口ドラグ制御における紙張り制御と低テンション付与制御を実施する。そして、第１区間にて、インフィードドラグ制御における紙張り制御と低テンション付与制御を実施する。最後に、給紙張力制御における紙張り制御と低テンション付与制御を実施する。
【０１１９】
そして、全ての区間における中間ドラグ制御、出口ドラグ制御、インフィードドラグ制御、給紙張力制御にて、紙押え制御、適正テンション付与制御、緩動運転制御、上流側テンション制御を同時に実施する。
【０１２０】
また、図１１に示すように、制御装置１４０は、中間ドラグ制御、出口ドラグ制御、インフィードドラグ制御、給紙張力制御の順に連続して実施するが、第３区間の紙張り制御と低テンション付与制御が完了したら、第２区間の紙張り制御と低テンション付与制御を開始するようにしてもよい。
【０１２１】
また、図１２に示すように、制御装置１４０は、中間ドラグ制御、出口ドラグ制御、インフィードドラグ制御、給紙張力制御の順に実施するが、第３区間の紙張り制御が完了したら、第２区間の紙張り制御を開始し、全ての区間で、紙張り制御と低テンション付与制御が完了したら、紙押え制御、適正テンション付与制御、緩動運転制御、上流側テンション制御を同時に実施するようにしてもよい。
【０１２２】
また、図１３に示すように、制御装置１４０は、中間ドラグ制御、出口ドラグ制御、インフィードドラグ制御、給紙張力制御の順に連続して実施するが、第３区間の紙張り制御が完了したら、第２区間の紙張り制御を開始するようにしてもよい。
【０１２３】
なお、制御装置１４０は、単一区間のみの制御や複数の区間を組み合わせた制御を行ってもよく、一部の区間を省いた複数の区間の組合せで構成される場合や、単一区間のみの制御で構成される場合であってもよい。また、上述の説明では、第１区間、第２区間、第３区間に区画したが、第２区間と第３区間とを合わせて第２区間としてもよい。
【０１２４】
ここで、新聞用オフセット輪転印刷機１０におけるウェブＷの張力調整作業について説明する。図１４は、印刷作業を表すフローチャートである。
【０１２５】
図１および図１４に示すように、ステップＳ３１にて、紙通し作業を実施し、ステップＳ３２にて、制御装置１４０は、紙通し作業が完了したかどうかを判定する。ここで、紙通し作業が完了していないと判定（Ｎｏ）されると、この状態が維持される。一方、紙通し作業が完了したと判定（Ｙｅｓ）されると、ステップＳ３３にて、制御装置１４０は、印刷ユニットの胴位相合わせが完了したかどうかを判定する。ここで、印刷ユニットの胴位相合わせが完了していないと判定（Ｎｏ）されると、この状態が維持される。一方、印刷ユニットの胴位相合わせが完了したと判定（Ｙｅｓ）されると、ステップＳ３５以降で、ウェブＷの張力調整作業が開始される。
【０１２６】
制御装置１４０は、第３区間、第２区間、第１区間の順にウェブＷの張力調整作業を実施する。ここで、第３区間は、前述したような制御によりウェブＷの張力調整作業を実施する。また、第２区間は、前述したような制御によりウェブＷの張力調整作業を実施してもよいし、１つの張力検出器によりウェブＷの張力調整作業を実施してもよい。また、第３区間は、テンションピックアップローラ１２９，１３０によりウェブＷの張力調整作業を実施する。
【０１２７】
ステップＳ３６にて、第３区間におけるウェブＷの張力調整作業が完了したかどうかを判定する。ここで、第３区間におけるウェブＷの張力調整作業が完了していないと判定（Ｎｏ）されると、この状態を維持する。一方、第３区間におけるウェブＷの張力調整作業が完了したと判定（Ｙｅｓ）されると、ステップＳ３７にて、第２区間におけるウェブＷの張力調整作業が完了したかどうかを判定する。ここで、第２区間におけるウェブＷの張力調整作業が完了していないと判定（Ｎｏ）されると、この状態を維持する。一方、第２区間におけるウェブＷの張力調整作業が完了したと判定（Ｙｅｓ）されると、ステップＳ３８にて、第１区間におけるウェブＷの張力調整作業が完了したかどうかを判定する。ここで、第１区間におけるウェブＷの張力調整作業が完了していないと判定（Ｎｏ）されると、この状態を維持する。
【０１２８】
一方、第１区間におけるウェブＷの張力調整作業が完了したと判定（Ｙｅｓ）されると、ステップＳ３９にて、全ての区間におけるウェブＷの張力調整作業が完了したかどうかを判定する。ここで、全ての区間におけるウェブＷの張力調整作業が完了していないと判定（Ｎｏ）されると、この状態を維持する。一方、全ての区間におけるウェブＷの張力調整作業が完了したと判定（Ｙｅｓ）されると、ステップＳ４０にて、制御装置１４０は、印刷ユニットＵ１にて、ブランケット胴３１ａ，３２ａ，３３ａ，３４ａの外周面とブランケット胴３１ｂ，３２ｂ，３３ｂ，３４ｂの外周面をウェブＷを挟んで対接させる胴入れを行う。その後、ステップＳ４１にて、制御装置１４０は、上流側テンション調整作業を実施する。そして、ステップＳ４２にて、制御装置１４０は、加速運転してインキ供給量調整作業を実施した後、ステップＳ４３にて、印刷を開始する。
【０１２９】
また、新聞用オフセット輪転印刷機１０におけるウェブＷの張力調整作業の変形例について説明する。図１５は、ウェブの張力調整作業の変形例を表すタイミングチャート、図１６は、印刷作業の変形例を表すフローチャートである。
【０１３０】
本実施形態のウェブの張力調整装置の変形例によるウェブ張力調整区間は、新聞用オフセット輪転印刷機１０におけるウェブＷの搬送区間の全域である。ここで、図１に示すように、給紙装置Ｒ（ブレーキ装置１０７）からインフィードドラグローラ１０９までが第１区間となり、インフィードドラグローラ１０９から出口ドラグローラ１１８までが第２区間となり、出口ドラグローラ１１８から中間ドラグローラ１２５，１２６までが第３区間となり、中間ドラグローラ１２５，１２６から三角板ドラグローラ１３１までが第４区間となる。
【０１３１】
第１区間では、前述と同様に、上流側駆動ローラは、給紙装置Ｒの巻取紙ＷＲ（ブレーキ装置１０７）、下流側駆動ローラは、インフィードドラグローラ１０９、中間駆動ローラはなく、上流側張力検出器および下流側張力検出器は、テンションピックアップローラ１０５に相当する。
【０１３２】
第２区間では、前述と同様に、上流側駆動ローラは、インフィードドラグローラ１０９、下流側駆動ローラは、出口ドラグローラ１１８、中間駆動ローラは、ブランケット胴３１ａ，３１ｂ，３２ａ，３２ｂ，３３ａ，３３ｂ，３４ａ，３４ｂ、上流側張力検出器は、テンションピックアップローラ１１１、下流側張力検出器は、テンションピックアップローラ１１７に相当する。そして、上流側区間とは、インフィードドラグローラ１０９とブランケット胴３１ａ，３１ｂとの間の区間であり、下流側区間とは、ブランケット胴３４ａ，３４ｂと出口ドラグローラ１１８との間の区間である。
【０１３３】
第３区間では、上流側駆動ローラは、出口ドラグローラ１１８、下流側駆動ローラは、中間ドラグローラ１２５，１２６、中間駆動ローラは、スリッタドラグローラ１２３、上流側張力検出器および下流側張力検出器はないが、別途、設けてもよい。そして、上流側区間とは、出口ドラグローラ１１８とスリッタドラグローラ１２３との間の区間であり、下流側区間とは、スリッタドラグローラ１２３と中間ドラグローラ１２５，１２６との間の区間である。
【０１３４】
第４区間では、上流側駆動ローラは、中間ドラグローラ１２５，１２６、下流側駆動ローラは、三角板ドラグローラ１３１、中間駆動ローラはなく、上流側張力検出器および下流側張力検出器は、テンションピックアップローラ１２９，１３０に相当する。
【０１３５】
本実施形態のウェブの張力調整装置は、ウェブ張力調整区間がウェブＷの搬送方向に沿って複数（本実施形態では、４個）設けられ、制御装置１４０は、複数のウェブ張力調整区間のうちのウェブＷの搬送方向における上流側のウェブ張力調整区間からウェブＷの張力を調整する。すなわち、上述した第１区間、第２区間、第３区間、第４区間の順にウェブＷの張力を調整する。
【０１３６】
図１５に示すように、制御装置１４０は、第１区間の上流側における給紙張力制御、インフィードドラグ制御、出口ドラグ制御、中間ドラグ制御を実施し、各制御にて、紙張り制御、低テンション付与制御、紙押え制御、適正テンション付与制御、緩動運転制御、上流側テンション制御を実施する。
【０１３７】
まず、第１区間にて、給紙張力制御における紙張り制御と低テンション付与制御を実施する。第２区間にて、インフィードドラグ制御における紙張り制御と低テンション付与制御を実施する。第３区間にて、出口ドラグ制御における紙張り制御と低テンション付与制御を実施する。第４区間にて、中間ドラグ制御における紙張り制御と低テンション付与制御を実施する。
【０１３８】
そして、全ての区間における給紙張力制御、インフィードドラグ制御、出口ドラグ制御、中間ドラグ制御にて、紙押え制御、適正テンション付与制御、緩動運転制御、上流側テンション制御を同時に実施する。なお、制御装置１４０による給紙張力制御、インフィードドラグ制御、出口ドラグ制御、中間ドラグ制御は、上述したものに限定されるものではなく、図１１から図１３で説明したような制御としてもよい。
【０１３９】
図１および図１６に示すように、ステップＳ７１にて、紙通し作業を実施し、ステップＳ７２にて、制御装置１４０は、紙通し作業が完了したかどうかを判定する。ここで、紙通し作業が完了していないと判定（Ｎｏ）されると、この状態が維持される。一方、紙通し作業が完了したと判定（Ｙｅｓ）されると、ステップＳ７３にて、制御装置１４０は、印刷ユニットの胴位相合わせが完了したかどうかを判定する。ここで、印刷ユニットの胴位相合わせが完了していないと判定（Ｎｏ）されると、この状態が維持される。一方、印刷ユニットの胴位相合わせが完了したと判定（Ｙｅｓ）されると、ステップＳ７５以降で、ウェブＷの張力調整作業が開始される。
【０１４０】
制御装置１４０は、第１区間、第２区間、第３区間、第４区間の順にウェブＷの張力調整作業を実施する。ここで、第１区間は、前述したような制御によりウェブＷの張力調整作業を実施する。第２区間は、前述したような制御によりウェブＷの張力調整作業を実施する。第３区間は、前述したような制御によりウェブＷの張力調整作業を実施する。第４区間は、前述したような制御によりウェブＷの張力調整作業を実施する。
【０１４１】
ステップＳ７６にて、第１区間におけるウェブＷの張力調整作業が完了したかどうかを判定する。ここで、第１区間におけるウェブＷの張力調整作業が完了していないと判定（Ｎｏ）されると、この状態を維持する。一方、第１区間におけるウェブＷの張力調整作業が完了したと判定（Ｙｅｓ）されると、ステップＳ７７にて、第２区間におけるウェブＷの張力調整作業が完了したかどうかを判定する。ここで、第２区間におけるウェブＷの張力調整作業が完了していないと判定（Ｎｏ）されると、この状態を維持する。一方、第２区間におけるウェブＷの張力調整作業が完了したと判定（Ｙｅｓ）されると、ステップＳ７８にて、第３区間におけるウェブＷの張力調整作業が完了したかどうかを判定する。ここで、第３区間におけるウェブＷの張力調整作業が完了していないと判定（Ｎｏ）されると、この状態を維持する。
【０１４２】
一方、第３区間におけるウェブＷの張力調整作業が完了したと判定（Ｙｅｓ）されると、ステップＳ７９にて、第４区間におけるウェブＷの張力調整作業が完了したかどうかを判定する。ここで、第４区間におけるウェブＷの張力調整作業が完了していないと判定（Ｎｏ）されると、この状態を維持する。一方、第４区間におけるウェブＷの張力調整作業が完了したと判定（Ｙｅｓ）されると、ステップＳ８０にて、全ての区間におけるウェブＷの張力調整作業が完了したかどうかを判定する。ここで、全ての区間におけるウェブＷの張力調整作業が完了していないと判定（Ｎｏ）されると、この状態を維持する。一方、全ての区間におけるウェブＷの張力調整作業が完了したと判定（Ｙｅｓ）されると、ステップＳ８１にて、制御装置１４０は、印刷ユニットＵ１にて、ブランケット胴３１ａ，３２ａ，３３ａ，３４ａの外周面とブランケット胴３１ｂ，３２ｂ，３３ｂ，３４ｂの外周面をウェブＷを挟んで対接させる胴入れを行う。その後、ステップＳ８２にて、制御装置１４０は、加速運転してインキ供給量調整作業を実施した後、ステップＳ８３にて、印刷を開始する。
【０１４３】
このように本実施形態のウェブの張力調整装置にあっては、ウェブＷの搬送方向に所定間隔を空けて配置されてウェブＷを搬送可能なインフィードドラグローラ（上流側駆動ローラ）１０９および出口ドラグローラ（下流側駆動ローラ）１１８と、インフィードドラグローラ１０９と出口ドラグローラ１１８との間に配置されるブランケット胴３１ａ，３１ｂ，３２ａ，３２ｂ，３３ａ，３３ｂ，３４ａ，３４ｂと、上流側区間におけるウェブＷの張力を検出するテンションピックアップローラ（上流側張力検出器）１１１と、下流側区間におけるウェブＷの張力を検出するテンションピックアップローラ（下流側張力検出器）１１７と、テンションピックアップローラ１１１とテンションピックアップローラ１１７の検出結果に基づいてインフィードドラグローラ１０９の回転速度を制御してウェブＷの張力を調整可能な制御装置１４０とを備える。
【０１４４】
従って、ブランケット胴３１ａ，３１ｂ，３２ａ，３２ｂ，３３ａ，３３ｂ，３４ａ，３４ｂに対して上流側区間におけるウェブＷの張力と下流側区間におけるウェブＷの張力に基づいてインフィードドラグローラ１０９の回転速度を制御してウェブＷの張力を調整することから、上流側区間と下流側区間との間にブランケット胴３１ａ，３１ｂ，３２ａ，３２ｂ，３３ａ，３３ｂ，３４ａ，３４ｂがあっても、上流側区間におけるウェブＷの張力と下流側区間におけるウェブＷの張力を適正張力調整することができる。その結果、ウェブＷの張力を適正に調整可能とすると共に、ウェブＷの張力調整作業の作業性の向上を図ることができる。
【０１４５】
本実施形態のウェブの張力調整装置では、制御装置１４０は、下流側区間におけるウェブＷの張力を予め設定された下流側適正張力に調整した後、上流側区間におけるウェブＷの張力を予め設定された上流側適正張力に調整する。従って、ウェブＷの張力を上流側適正張力に調整するとき、既に下流側適正張力に調整されたウェブＷの張力を変動させることがなく、効率良くウェブＷの張力を調整することができる。
【０１４６】
本実施形態のウェブの張力調整装置では、制御装置１４０は、出口ドラグローラ１１８の回転速度よりインフィードドラグローラ１０９の回転速度を低速とし、下流側区間におけるウェブＷの張力が下流側適正張力に到達すると、下流側適正張力が維持されるようにインフィードドラグローラ１０９の回転速度を制御する。従って、ウェブＷの張力を容易に増加させることができ、下流側区間におけるウェブＷの張力が下流側適正張力に調整されると、下流側適正張力が維持されるようにインフィードドラグローラ１０９の回転速度を制御することから、効率良くウェブＷの張力を調整することができる。
【０１４７】
本実施形態のウェブの張力調整装置では、制御装置１４０は、下流側区間におけるウェブＷの張力が下流側適正張力より低い予め設定された下流側適正低張力に到達すると、インフィードドラグローラ１０９の回転速度を変更、例えば、減速して適正張力に調整する。従って、ウェブＷの張力が段階的に増加されることとなり、張力の急激な増加によるウェブＷの破断を抑制することができる。
【０１４８】
本実施形態のウェブの張力調整装置では、インフィードドラグローラ１０９と出口ドラグローラ１１８の少なくともどちらか一方に対接することでウェブＷを挟持する紙押えローラ１１０，１１９が設けられ、制御装置１４０は、下流側区間におけるウェブＷの張力が下流側適正低張力に到達すると、紙押えローラ１１０，１１９を脱位置から着位置に移動する。従って、ウェブＷがインフィードドラグローラ１０９および出口ドラグローラ１１８と紙押えローラ１１０，１１９により挟持された状態で、ウェブＷの張力が増加することとなり、ウェブＷを安定して支持することでウェブＷの破断を抑制することができる。
【０１４９】
本実施形態のウェブの張力調整装置では、インフィードドラグローラ１０９と出口ドラグローラ１１８の少なくともどちらか一方に対接することでウェブＷを挟持する紙押えローラ１１０，１１９が設けられ、制御装置１４０は、下流側区間におけるウェブＷの張力を下流側適正張力に調整した後、離間位置にあるブランケット胴３１ａ，３１ｂ，３２ａ，３２ｂ，３３ａ，３３ｂ，３４ａ，３４ｂを対接位置に移動し、その後、紙押えローラ１１０，１１９を脱位置から着位置に移動する。従って、ウェブＷがインフィードドラグローラ１０９および出口ドラグローラ１１８と紙押えローラ１１０，１１９に挟持されるとき、ウェブＷの張力が既に下流側適正張力に調整されており、ウェブＷに対する瞬間的な張力の増加が抑制され、ウェブＱの破断を抑制することができる。
【０１５０】
本実施形態のウェブの張力調整装置では、制御装置１４０は、上流側区間におけるウェブＷの張力を予め設定された下流側張力調整用上流側張力に調整した後、下流側区間におけるウェブＷの張力が予め設定された下流側適正張力に到達すると、上流側区間におけるウェブＷの張力を予め設定された上流側適正張力に調整する。従って、早期にウェブＷの張力を増加させてウェブＷの張力を上流側適正張力に調整することができる。
【０１５１】
本実施形態のウェブの張力調整装置では、制御装置１４０は、出口ドラグローラ１１８の回転速度よりインフィードドラグローラ１０９の回転速度を低速とし、下流側区間におけるウェブＷの張力が下流側適正張力に到達すると、現在のウェブＷの張力が維持されるようにインフィードドラグローラ１０９の回転速度を制御する。従って、効率良くウェブＷの張力を調整することができる。
【０１５２】
本実施形態のウェブの張力調整装置では、制御装置１４０は、下流側区間におけるウェブＷの張力を下流側適正張力に調整した後、離間位置にあるブランケット胴３１ａ，３１ｂ，３２ａ，３２ｂ，３３ａ，３３ｂ，３４ａ，３４ｂを対接位置に移動し、その後、上流側区間におけるウェブの張力を上流側適正張力に調整する。従って、ウェブＷの張力が下流側適正張力に調整された状態で、ブランケット胴３１ａ，３１ｂ，３２ａ，３２ｂ，３３ａ，３３ｂ，３４ａ，３４ｂを対接位置に移動することとなり、ウェブＷの破断を抑制することができる。
【０１５３】
本実施形態のウェブの張力調整装置では、制御装置１４０は、インフィードドラグローラ１０９の駆動回転を停止した状態で、出口ドラグローラ１１８の駆動回転を開始し、下流側区間におけるウェブＷの張力が上昇すると、インフィードドラグローラ１０９の駆動回転を開始する。従って、ウェブＷの弛みを早期に解消することができる。
【０１５４】
本実施形態のウェブの張力調整装置では、ブランケット胴３１ａ，３１ｂ，３２ａ，３２ｂ，３３ａ，３３ｂ，３４ａ，３４ｂが離間位置にあるとき、一部のブランケット胴３１ａ，３２ｂ，３３ａ，３４ｂがウェブＷに接触する。従って、一部のブランケット胴３１ａ，３２ｂ，３３ａ，３４ｂがウェブＷに接触していても、上流側区間におけるウェブＷの張力と下流側区間におけるウェブＷの張力を適正張力調整することができる。その結果、ウェブＷの張力調整作業の作業性の向上を図ることができる。
【０１５５】
本実施形態のウェブの張力調整装置では、中間ドラグローラ１２５，１２６と三角板ドラグローラ１３１との間にウェブＷの経路長を変更可能なコンペンセータ１４２，１４３を設け、制御装置１４０は、テンションピックアップローラ１２９，１３０の検出結果に基づいてコンペンセータ１４２，１４３を制御してウェブＷの張力を調整する。従って、中間ドラグローラ１２５，１２６や三角板ドラグローラ１３１の回転速度を制御する方法との組み合わせにより、ウェブＷの張力を早期に調整することができる。
【０１５６】
本実施形態のウェブの張力調整装置では、ウェブＷの張力調整区間をウェブＷの搬送方向に沿って複数設け、制御装置１４０は、複数のウェブＷの張力調整区間のうちのウェブＷの搬送方向における下流側のウェブＷの張力調整区間からウェブＷの張力を調整する。従って、上流側の張力調整区間におけるウェブＷの張力を調整するとき、既に調整された下流側の張力調整区間におけるウェブＷの張力を変動させることがなく、効率良くウェブＷの張力を調整することができる。
【０１５７】
本実施形態のウェブの張力調整装置では、ウェブＷの張力調整区間をウェブＷの搬送方向に沿って複数設け、制御装置１４０は、複数のウェブＷの張力調整区間のうちのウェブＷの搬送方向における上流側のウェブＷの張力調整区間からウェブＷの張力を調整する。従って、下流側の張力調整区間におけるウェブＷの張力を調整するとき、既に調整された上流側の張力調整区間におけるウェブＷの張力を変動させることがなく、効率良くウェブＷの張力を調整することができる。
【０１５８】
また、本実施形態の張力調整方法にあっては、上流側区間におけるウェブＷの張力を検出する工程と、下流側区間におけるウェブＷの張力を検出する工程と、上流側区間におけるウェブＷの張力と下流側区間におけるウェブＷの張力に基づいてインフィードドラグローラ１０９の回転速度を制御してウェブＷの張力を調整する工程とを有する。従って、上流側区間と下流側区間との間にブランケット胴３１ａ，３１ｂ，３２ａ，３２ｂ，３３ａ，３３ｂ，３４ａ，３４ｂがあっても、上流側区間におけるウェブＷの張力と下流側区間におけるウェブＷの張力を適正張力調整することができる。その結果、ウェブＷの張力を適正に調整可能とすると共に、ウェブＷの張力調整作業の作業性の向上を図ることができる。
【０１５９】
また、本実施形態の印刷機にあっては、ウェブＷを供給する給紙装置Ｒと、給紙装置Ｒから供給されたウェブＷに対して印刷を施す印刷装置Ｕと、印刷装置Ｕにより印刷が施されたウェブＷを縦折りした後に断裁して所定の折帖を形成する折機Ｆと、ウェブＷの張力調整装置とを備える。従って、ウェブＷの張力を適正に調整可能とすると共に、ウェブＷの張力調整作業の作業性の向上を図ることができる。
【０１６０】
本実施形態の印刷機では、給紙装置Ｒは、複数の給紙ユニットＲ１〜Ｒ７を有し、印刷装置Ｕは、複数の印刷ユニットＵ１〜Ｕ６を有し、折機Ｆは、複数のウェブＷを縦折りした後に断裁して所定の折帖を形成するものであり、制御装置１４０は、複数のウェブＷの搬送経路で全ての下流側区間におけるウェブＷの張力が下流側適正張力に調整されると、離間位置にあるブランケット胴３１ａ，３１ｂ，３２ａ，３２ｂ，３３ａ，３３ｂ，３４ａ，３４ｂを対接位置に移動する。従って、全てのウェブＷに対して同時にブランケット胴３１ａ，３１ｂ，３２ａ，３２ｂ，３３ａ，３３ｂ，３４ａ，３４ｂが接触することとなり、ウェブＷの破断を抑制することができる。
【０１６１】
また、ウェブＷの張力が早期に下流側適正張力に調整され、下流側張力が確立された状態で胴入れをするため、印刷開始時から安定した印刷を実現することができ、損紙を低減（黒損低減）することができる。また、低速運転で紙張りが終了することから、胴入れ時のウェブＷの速度の低下が可能となり、損紙を低減（白損低減）することができる。更に、自動で紙張り運転ができることから、ウェブＷの張力を監視して運転する作業者のスキルが不要となり、作業者のスキルレス、更には印刷開始時の自動無人運転を可能とすることができる。
【０１６２】
なお、上述した実施形態では、上流側駆動ローラ、下流側駆動ローラ、中間駆動ローラ、上流側張力検出器、下流側張力検出器を適所に配置したが、ウェブの張力調整装置は、この構成に限定されるものではなく、例えば、ウェブの搬送経路を２個または４個以上に区画して各構成部材を適所に配置してもよい。
【０１６３】
また、上述した実施形態では、上流側区間と下流側区間との間に中間駆動ローラとしてブランケット胴３１ａ，３１ｂ，３２ａ，３２ｂ，３３ａ，３３ｂ，３４ａ，３４ｂを配置したが、この構成に限定されるものではなく、例えば、上流側区間や下流側区間には、ブランケット胴以外のガイドローラや駆動ローラなど他の複数のローラを配置されていてもよい。
【０１６４】
また、上述した実施形態では、上流側張力検出器と下流側張力検出器をテンションピックアップローラとしたが、この構成に限定されるものではなく、ウェブの張力を検出することができれば、ダンサローラなど、いずれの張力検出器であってもよい。
【０１６５】
また、上述した実施形態では、本発明の印刷機を新聞用オフセット輪転印刷機に適用して説明したが、商業用オフセット輪転印刷機など、ウェブを使用するその他の印刷機に適用してもよく、両面印刷機であっても、片面印刷機であってもよい。
【符号の説明】
【０１６６】
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
１０１  保持アーム
１０２  ガイドローラ
１０３  フローティングローラ
１０４  ガイドローラ
１０５  テンションピックアップローラ
１０６  ガイドローラ
１０７  ブレーキ装置
１０８  ガイドローラ
１０９  インフィードドラグローラ
１１０  紙押えローラ
１１１  テンションピックアップローラ
１１２  駆動モータ
１１３，１１４，１１５，１１６  駆動モータ
１１７  テンションピックアップローラ
１１８  出口ドラグローラ
１１９  紙押えローラ
１２０  ガイドローラ
１２１  駆動モータ
１２２  スリッタナイフ
１２３  スリッタドラグローラ
１２４  駆動モータ
１２５，１２６  中間ドラグローラ
１２７，１２８  紙押えローラ
１２９，１３０  テンションピックアップローラ
１３１  三角板ドラグローラ
１３２  紙押えローラ
１３３  駆動モータ
１３４  駆動モータ
１４０  制御装置
１４１  ターンバー
１４２，１４３  コンペンセータ（経路長変更装置）
ＷＲ  巻取紙
Ｗ  ウェブ
【図１】
2020125210.tif 000003
【図２】
2020125210.tif 000004
【図３】
2020125210.tif 000005
【図４−１】
2020125210.tif 000006
【図４−２】
2020125210.tif 000007
【図５】
2020125210.tif 000008
【図６】
2020125210.tif 000009
【図７】
2020125210.tif 000010
【図８】
2020125210.tif 000011
【図９】
2020125210.tif 000012
【図１０】
2020125210.tif 000013
【図１１】
2020125210.tif 000014
【図１２】
2020125210.tif 000015
【図１３】
2020125210.tif 000016
【図１４】
2020125210.tif 000017
【図１５】
2020125210.tif 000018
【図１６】
2020125210.tif 000019
【図１７】
2020125210.tif 000020
【図１８】
2020125210.tif 000021